(57)【特許請求の範囲】
【請求項１】
エアゾール容器の開口部にバルブキャップを係合させたエアゾール容器において、該エアゾール容器の素材がＰＥＴ（ポリエチレンテレフタレート）とＰＡｒ（ポリアリレート）との混合比６０：４０〜９５：５の混合体であり、該素材のガラス転移温度が７４〜１００℃であることを特徴とするエアゾール容器。
【発明の詳細な説明】
【０００１】
【発明の属する技術分野】
【従来の技術】
従来のエアゾール容器の開口部にバルブキヤツプを嵌合させた構造としては、例えば図２（Ａ）の断面図が示すようなものがある。この構造は、容器本体１の首部２に環状凹所３を形成し、バルブ４の容器内に延長するバルブハウジング５をシール体６により気密に支持したバルブキヤツプ７を上記首部２に嵌着し、該バルブキヤツプ７の下端部８を前記凹所３に絞り込んだものである（例えば特開昭６３−７６９９３号）。なお、このようなエアゾール容器にあっては、容器自体に高い耐圧効果を要求するため、一般に、ポリエチレンテレフタレート等の樹脂が単体で使用されている。
【０００２】
【発明が解決しようとする課題】
しかし、かかるエアゾール容器は、容器自体の耐圧効果だけを考慮しているため、バルブキヤツプ係合力よりも容器自体の耐圧効果を向上させ、該エアゾール容器を炎天下に駐車された自動車内等に放置した場合、容器自体の破裂は起こらずに容器本体から内容物の噴出と共にバルブキヤツプが暴発的に飛び出してしまうという課題があった。
【０００３】
本発明は、容器自体の従来の耐圧性を保持しつつ、かかる課題を解決することを目的とし、エアゾール容器内の圧力が上昇してもバルブキヤツプ及び内容物を暴発的に容器外に飛散させないエアゾール容器を提供することにある。
【０００４】
【課題を解決するための手段】
すなわち、本発明は、エアゾール容器の開口部にバルブキヤツプを係合させたエアゾール容器において、該エアゾール容器の素材のガラス転移温度を７４〜１００℃にしたことを特徴とするエアゾール容器である。
【０００５】
本発明におけるエアゾール容器は、上記課題を解決するために、その内部圧力が内容物を暴発させる程度にまで近づくと、該エアゾール容器自体を膨張させてその内部圧力を下げて回避するものである。かかる作用を発揮させるためには、エアゾール容器の素材の上記ガラス転移温度を７４〜１００℃、さらに好ましくは７５〜８５℃に設定するのが良い。このガラス転移温度は、あまりに低いと容器自体が簡易に膨張してしまい、あまりに高いと容器自体が硬くて膨張しないため、上記範囲にするのがよい。
【０００６】
また、かかるエアゾール容器を形成する素材としては上記ガラス転移温度を有するものを適宜選択して採用でき、例えばＰＥＴ（ポリエチレンテレフタレート）とＰＡｒ（ポリアリレート）との混合体等がある。なお、ＰＥＴとポリアリレートの配合比は、ＰＥＴ：ポリアリレートの重量％の比で６０：４０〜９５：５が好ましく、さらに好ましくは８０：２０〜９５：５の重量％が良い。このような比でポリエチレンテレフタレートとポリアリレートを混合するのは、ポリアリレートがあまりに少ないとエアゾール容器と上記バルブキャップの係合力が弱くなり、あまりに多いと容器自体が膨張しづらくなり耐圧性の低い底部が破裂するからである。
【０００７】
また、本発明にかかるエアゾール容器の成型方法としては、二軸延伸ブロー成形や、開口部周辺のバルブキヤツプ係合部位を無延伸インジエクシヨン成型で形成し内容物を充填する胴部をストレツチブロー成型する方法等がある。かかるストレツチブロー成型にあっては、前記胴部の縦延伸を１．００〜１．１５倍、横延伸を１．９０〜２．２０倍の低延伸に抑えることにより、内容物の温度上昇に伴う高圧下で容器を変形膨張及び薄肉化させて内圧を下げることができる。
【０００８】
なお、本発明にかかるエアゾール容器に充填することのできる内容物としては、従来公知のものを採用できる。該内容物としては、例えば人体用品、家庭用品、工業用品があり、人体用品には頭髪用品、化粧品、消臭・制汗剤、その他の人体用品があり、家庭用品には殺虫剤、コーテイング剤、クリーナ、食品、その他の家庭用品があり、工業用品には自動車用品、その他の工業用品がある。上記頭髪用品としてはヘアセツトスプレー、ヘアドレツサーコンデイシヨナー、ヘアシヤンプー、リンス、酸性染毛剤、酸化型２剤タイプ永久染毛剤、カラースプレー、脱色剤、パーマ剤、育毛剤等がある。化粧品としてはシエービングクリーム、アフターシエーブローシヨン、香水、オーデコロン、洗顔料、日焼け止め、フアンデーシヨン、脱毛・脱色剤、浴用剤、歯磨き剤等がある。消臭・制汗剤としては消臭剤、制汗剤、ボデイシヤンプー等がある。その他の人体用品としては筋肉消炎剤、皮膚疾患剤、水虫薬、その他の医薬品、害虫忌避剤、冷却剤、清拭剤、口喉剤等がある。殺虫剤としては空間殺虫剤、ゴキブリ殺虫剤、園芸用殺虫剤、殺ダニ剤、不快害虫剤等がある。コーテイング剤としては家庭用塗料、自動車用塗料、アンダーコーテイング剤等がある。クリーナとしては家庭用ガラスクリーナ、レンズクリーナ、絨毯クリーナ、浴用クリーナ、床・家具艶だしクリーナ、靴・皮革クリーナ、ワツクス艶だし剤等がある。その他の家庭用品としては室内消臭剤、トイレ用消臭剤、防水剤、洗濯糊、除草剤、衣類用防虫剤、防炎剤等がある。自動車用品としては防曇剤、解氷剤、エンジン始動液、パンク修理液、エンジンクリーナ等がある。その他の工業用品としては潤滑防錆剤、接着剤、金属深傷剤、離型剤等がある。
【０００９】
上記内容物の形状としては液状、流動体状、半流動体状、発泡体状、気体状の他、これら形状のものに粉体状や粒状の固体を少し混ぜたもの等、適宜選択して採用することができる。
【００１０】
該素材にあっては従来内容物として採用される公知のものを採用でき、例えば上記ヘアスプレーであれば変性アルコール、噴射剤としてのＬＰＧ（液化石油ガス）を主成分とし、アクリル樹脂アルカノールアミン液、ポリオキシエチレンオレイルエーテル、香料等を添加したものがあり、上記ヘアトリートメントであれば変性アルコール、噴射剤としてのＬＰＧを主成分とし、流動パラフイン、プロピレングリコール、メチルフエニルポリシロキサン、香料を添加したものがある。
【００１１】
また、他の内容物としては、アルコール、合成樹脂、噴射剤（ＬＰＧ（液化石油ガス、ＤＭＥ（ジメチルエーテル）、Ｎ2、ＣＯ2等の単体又はこれらの混合物）、セルロース、アンモニウム、水、香料、染料、界面活性剤、顔料等を適宜選択して追加することができる。
【００１２】
【発明の実施の形態】
本発明にあっては、エアゾール容器の開口部にバルブキヤツプを係合させたエアゾール容器において、該エアゾール容器の素材のガラス転移温度を７４〜１００℃にし、これにより、容器自体の従来の耐圧性を保持しつつ、エアゾール容器内の圧力が上昇してもバルブキヤツプ及び内容物を暴発的に容器外に飛散させない。
【００１３】
【実施例】
以下に、本発明にかかる実施例を、図及び表を参照しつつ詳細に説明する。図１は、本発明の実施例、比較例におけるエアゾール容器自体の正面図を模式的に示した説明図である。
【００１４】
この図１に示したエアゾール容器は、内容量９７ミリリツトル、目付重量３０グラムのものであり、符号１０はエアゾール容器の開口部を形成すると共に図示外のバルブキヤツプを係合させるための係合部であり、符号１１は内容物を保持するための胴部である。該エアゾール容器は、ＰＥＴ（ポリエチレンテレフタレート）とＰＡｒ（ポリアリレート）を表１の配合比で混練した後、二軸延伸ブロー成形により形成したものである。
【００１５】
表１で「８０℃昇温評価」は、エアゾール容器内に充填する内容物をＬＰＧ（液化石油ガス）を含む水系内容液（常温（約２５℃）、内圧６ｋｇ／ｃｍ2）とし、炎天下に駐車した自動車内を想定し、外気温度を常温（約２５℃）から昇温させ、８０℃に到達した後、８０℃を８時間維持し、エアゾール容器開口部の周辺に位置する係合部が破壊されたかどうかを目視で評価したものである。なお、かかる評価にあっては図２（Ａ）で開示したバルブキヤツプを採用した。
【００１６】
【表１】
0003807568.tif 000002
【００１７】
この表１が示すように、ＰＥＴ：ＰＡｒの重量％の比で６０：４０〜９５：５としたときには上記係合部は破壊されず、容器の破裂もなかった。また、ポリアリレートの比を５０％にしたときには（比較例２）、耐圧性の悪い容器底部が破裂してしまった。
【００１８】
次に、上記比較例１及び上記実施例１における配合比で製造されたエアゾール容器に同じ内容物（内圧６ｋｇ／ｃｍ2）を充填して、外気温度（昇温したときの外気の温度）を上げたときの、気相温度（エアゾール容器内の気体の温度）、液相温度（エアゾール容器内の内容液の温度）、内圧（該エアゾール容器内部の圧力）及び係合部評価（係合部が破壊されたかどうかの目視評価）を表２に示す。
【００１９】
【表２】
0003807568.tif 000003
【００２０】
表２が示すように、ポリエチレンテレフタレートにポリアリレートを配合することにより、気相温度７１℃、内圧１２〜１３ｋｇ／ｃｍ2であっても係合部が破壊されなかった。これは、内圧が１４ｋｇ／ｃｍ2を越えたあたりから容器自体が膨張・薄肉化し、内圧を減少させたためである。
【００２１】
【発明の効果】
本発明にあっては、エアゾール容器の開口部にバルブキヤツプを係合させたエアゾール容器において、該エアゾール容器の素材のガラス転移温度を７４〜１００℃にし、これにより、容器自体の従来の耐圧性を保持しつつ、エアゾール容器内の圧力が上昇してもバルブキヤツプ及び内容物を暴発的に容器外に飛散させないという効果を有する。
【図面の簡単な説明】
【図１】本発明の実施例、比較例におけるエアゾール容器自体の正面図を模式的に示した説明図である。
【図２】（Ａ）は従来のエアゾール容器の開口部における周辺の縦断面を一部拡大した説明図であリ、（Ｂ）は（Ａ）のエアゾール容器の縦断面を模式的に示した説明図である。
【符号の説明】
１０  係合部
１１  胴部
【図１】
0003807568.tif 000004
【図２】
0003807568.tif 000005